(57)【要約】【課題】本発明は、サービス管理方法を提供する。【解決手段】本発明のサービス管理方法は複数人の使用者が滞在可能なルームを管理する。該ルームは複数個のユニット制御装置を含む。前記サービス管理方法は、感応ユニットを前記複数個のユニット制御装置のうちいずれか１つに挿入することにより１つの使用請求信号を生成するステップと、前記使用請求信号によって生成した使用確認信号を前記ユニット制御装置に伝送することにより、前記複数個のユニット制御装置のうちいずれか１つに対応するサービス操作を起動するステップとを含む。前記複数人の使用者のうちいずれか一人が前記複数個のユニット制御装置のうちいずれか１つを使用することにより、該ユニット制御装置に対応するサービス操作を取得する。【選択図】図１
2015133114.tif 000002
【特許請求の範囲】
【請求項１】
複数人の使用者が滞在可能なルームを管理するサービス管理方法であって、該ルームは複数個のユニット制御装置を含み、該サービス管理方法は、
感応ユニットを前記複数個のユニット制御装置のうちいずれか１つに挿入することにより１つの使用請求信号を生成するステップと、
前記使用請求信号によって生成した使用確認信号を前記ユニット制御装置に伝送することにより、前記複数個のユニット制御装置のうちいずれか１つに対応するサービス操作を起動するステップとを含み、
前記複数人の使用者のうちいずれか一人が前記複数個のユニット制御装置のうちいずれか１つを使用することにより、該ユニット制御装置に対応するサービス操作を取得し、
前記サービス操作は、電気入力操作、インターネット接続操作又は呼び出し操作を含み、
コンピュータシステムで前記使用請求信号を前記複数個のユニット制御装置のうちどのユニット制御装置から受信したかを判断し、かつ対応する使用確認信号を該ユニット制御装置に伝送する、サービス管理方法。
【請求項２】
前記コンピュータシステムで制御信号を生成することにより、所定のユニット制御装置が対応するサービス操作を提供すべきであるかどうかを主動的に制御する、請求項１に記載のサービス管理方法。
【請求項３】
前記コンピュータシステムがインターネットモジュールに接続されることにより、他の使用者は該インターネットモジュールで前記コンピュータシステムのルーム注文操作を行う、請求項１に記載のサービス管理方法。
【請求項４】
前記ルームが状況検出モジュールを更に含むことにより、危険状況の発生を検出するとき、該危険状況に関する警告信号を前記コンピュータシステムに伝送する、請求項１に記載のサービス管理方法。
【請求項５】
前記ルームは出入管理カードモジュールを更に含み、前記コンピュータシステムの中央処理装置は開閉信号を前記出入管理カードモジュールに伝送することにより、該出入管理カードモジュールの開閉を制御する、請求項１に記載のサービス管理方法。
【請求項６】
前記感応ユニットは誘導チップを含み、前記ユニット制御装置と前記感応ユニットとの間は電磁誘導効果によって信号を伝送する、請求項１に記載のサービス管理方法。
【請求項７】
複数人の使用者が滞在可能なルームを管理するコンピュータシステムであって、該コンピュータシステムは、
中央処理装置と、
前記中央処理装置に電気的に接続されかつプログラムコードが記憶されている記憶装置とを含み、
前記プログラムコードはサービス管理方法を実行し、該サービス管理方法は、
感応ユニットを複数個のユニット制御装置のうちいずれか１つに挿入することにより１つの使用請求信号を生成するステップと、
前記使用請求信号によって生成した使用確認信号を前記ユニット制御装置に伝送することにより、前記複数個のユニット制御装置のうちいずれか１つに対応するサービス操作を起動するステップとを含み、
前記複数人の使用者のうちいずれか一人が前記複数個のユニット制御装置のうちいずれか１つを使用することにより、該ユニット制御装置に対応するサービス操作を取得し、
前記サービス操作は、電気入力操作、インターネット接続操作又は呼び出し操作を含み、
前記サービス管理方法は、前記中央処理装置で前記使用請求信号を前記複数個のユニット制御装置のうちどのユニット制御装置から受信したかを判断し、かつ対応する使用確認信号を該ユニット制御装置に伝送する、コンピュータシステム。
【請求項８】
前記サービス管理方法は、前記中央処理装置で制御信号を生成することにより、所定のユニット制御装置が対応するサービス操作を提供すべきであるかどうかを主動的に制御する、請求項７に記載のコンピュータシステム。
【請求項９】
前記コンピュータシステムがインターネットモジュールに接続されることにより、他の使用者は該インターネットモジュールで前記コンピュータシステムのルーム注文操作を行う、請求項7に記載のコンピュータシステム。
【請求項１０】
前記ルームが状況検出モジュールを更に含むことにより、危険状況の発生を検出するとき、該危険状況に関する警告信号を前記コンピュータシステムに伝送する、請求項７に記載のコンピュータシステム。
【請求項１１】
前記ルームは出入管理カードモジュールを更に含み、前記中央処理装置は開閉信号を前記出入管理カードモジュールに伝送することにより、該出入管理カードモジュールの開閉を制御する、請求項７に記載のコンピュータシステム。
【請求項１２】
前記感応ユニットは誘導チップを含み、前記ユニット制御装置と前記感応ユニットとの間は電磁誘導効果によって信号を伝送する、請求項７に記載のコンピュータシステム。
【発明の詳細な説明】
【技術分野】
【０００１】
本発明は、サービス管理方法に関し、特に複数人の使用者が滞在可能なルームを管理するサービス管理方法に関するものである。
【背景技術】
【０００２】
世界の各地を旅行するバックパッカーは通常、旅館又はホテルの複数人共用式ルームを使用する。すなわち、バックパッカーが滞在する旅館又はホテルの１つのルームに通常複数個のベッドが設置されているので、各バックパッカー向けの電器機器又はソケットが足りないおそれがある。この場合、各バックパッカーは他のバックパッカーと電器機器又はソケットを共用するか或いは所定の時間に従って交替に使用しなければならない。したがって、専用性及び利便性を重視する使用者にとっては、利便性がよいとは言いにくい。また、旅館又はホテルの管理者は、所定のコストダウン及び経営の方策を維持するため、すべての使用者に向けて電器機器又はソケットを無制限に設けることができない。旅館又はホテルの管理者、電気の使用及びスイッチの開閉を適当に管理することにより、旅館又はホテルの無駄な出費を節約することができる。
【０００３】
すなわち、効率の良いルームサービス管理方法を提供することにより、各使用者に所定のサービスを提供するとともに電気又は電器機器の使用に関する浪費を節約することは、この分野の重要な課題になっている。
【発明の概要】
【発明が解決しようとする課題】
【０００４】
本発明の主な目的は、数の使用者が滞在可能なルームを管理するサービス管理方法を提供することにより、ルーム内の使用者に少なくとも一種のサービス操作を提供することにある。
【課題を解決するための手段】
【０００５】
本発明は、複数人の使用者が滞在可能なルームを管理するサービス管理方法を提供する。該ルームは複数個のユニット制御装置を含む。前記サービス管理方法は、感応ユニットを前記複数個のユニット制御装置のうちいずれか１つに挿入することにより１つの使用請求信号を生成するステップと、前記使用請求信号によって生成した使用確認信号を前記ユニット制御装置に伝送することにより、前記複数個のユニット制御装置のうちいずれか１つに対応するサービス操作を起動するステップとを含む。前記複数人の使用者のうちいずれか一人が前記複数個のユニット制御装置のうちいずれか１つを使用することにより、該ユニット制御装置に対応するサービス操作を取得する。
【０００６】
本発明は、複数人の使用者が滞在可能なルームを管理するコンピュータシステムを提供する。本発明のコンピュータシステムは、中央処理装置と、該中央処理装置に電気的に接続されかつプログラムコードが記憶されている記憶装置とを含む。前記プログラムコードはサービス管理方法を実行する。該サービス管理方法は、感応ユニットを複数個のユニット制御装置のうちいずれか１つに挿入することにより１つの使用請求信号を生成するステップと、前記使用請求信号によって生成した使用確認信号を前記ユニット制御装置に伝送することにより、前記複数個のユニット制御装置のうちいずれか１つに対応するサービス操作を起動するステップとを含む。前記複数人の使用者のうちいずれか一人が前記複数個のユニット制御装置のうちいずれか１つを使用することにより、該ユニット制御装置に対応するサービス操作を取得する。
【図面の簡単な説明】
【０００７】
【図１】本発明の実施例に係るサービス管理方法におけるルームを示す図である。
【図２】図１のルームのユニット制御装置を示す図である。
【図３】本発明の実施例に係るサービス管理方法を示す流れ図である。
【図４】本発明の実施例に係るサービス管理方法における他のルームを示す図である。
【図５】本発明の実施例に係るサービス管理方法における他のルームを示す図である。
【発明を実施するための形態】
【０００８】
この明細書及び後述する特許請求の範囲において、所定の語彙で所定の部品を説明するが、この技術分野の技術者又は製造メーカでは、異なる語彙で同様な部品を説明する場合もあるはずである。この明細書及び後述する特許請求の範囲は、名称の相違で部品の間の相違を示せず、各部品の色々な機能で部品の間の相違を示す。この明細書及び後述する特許請求の範囲に記載される「含む／具備する／有する」という用語が解放的な用語であるので、これらは「を含む／具備する／有するが、本発明はこれに限定されるものではない」という意味を示す。また、「接続」という用語は、電子部品同士が直接に電気接続される場合及びこれらが間接に電気接続される場合を含む。したがって、「第一装置が第二装置に接続される」という記載は、第一装置が直接に第二装置に接続されるか或いは第一装置が間接に第二装置に接続されることを示すことができる。
【０００９】
図１を参照されたい。図１は本発明の実施例に係るサービス管理方法におけるルーム１０を示す図である。このルーム１０はコンピュータシステム１２に電気的に接続される。図１に示すとおり、本実施例のルーム１０は複数個のユニット制御装置Ｕ１〜ＵＮを含み、各使用者は複数個のユニット制御装置Ｕ１〜ＵＮのうちいずれか１つを使用する。コンピュータシステム１２は、中央処理装置１２０及び該中央処理装置１２０に電気的に接続される記憶装置１２２を含む。図２を参照されたい。図２は、本発明の実施例に係るルーム１０内の１つのユニット制御装置Ｕ１を示す図である。図２に示すとおり、本実施例のユニット制御装置Ｕ１はシングルベッドであり、シングルベッドの支持棒Ｈ１にはサービス起動スイッチＳＷ１が設置されており、該サービス起動スイッチＳＷ１には少なくとも１つの照明モジュールＬ１が電気的に接続されている。本発明は、ルーム１０内のユニット制御装置及びルーム１０の設置方法とこの両者の間の信号伝送方法とを限定しない。例えば、ルーム１０は、ユニット制御装置Ｕ１〜ＵＮを電気的に接続させるとともに所定の信号を整合して伝送する信号整合モジュール（図示せず）を含むことができる。この信号整合モジュールは、ルーム１０からの所定のサービス請求信号を伝送し、かつコンピュータシステム１２との電気的接続を形成することにより、ルーム１０とコンピュータシステム１２との間の信号伝送を行う。ルーム１０とコンピュータシステム１２との間の信号伝送方法は有線／無線信号伝送方法であることができるが、本発明はこれに限定されるものではない。
【００１０】
具体的に、ルーム１０を利用する使用者は、（誘導をチップを含む）感応ユニットを利用することによりサービス起動スイッチＳＷ１との接続／切断を実現することができる。使用者が誘導ユニットをサービス起動スイッチＳＷ１に挿入するとき、ユニット制御装置Ｕ１は1つの使用請求信号を生成するとともに信号整合モジュールでこの使用請求信号をコンピュータシステム１２に伝送する。コンピュータシステム１２の中央処理装置１２０は、この使用請求信号を主動又は受動的に検討することにより1つの使用確認信号を生成し、かつ信号整合モジュールでこの使用確認信号をユニット制御装置Ｕ１に伝送する。これにより、ユニット制御装置Ｕ１に対応する1つのサービス操作を起動することができる。使用確認信号を受信したユニット制御装置Ｕ１は、使用者が旅館又はホテルからサービス操作を取得するように権限を与える。例えば、電気入力操作、インターネット接続操作又は呼び出し操作などに関する権限を与える。本発明は、サービス起動スイッチＳＷ１が提供できるサービス操作の種類を限定しない。すなわち、異なる使用者の色々な需要により、サービス起動スイッチＳＷ１を他の電器機器に接続させるか或いはこの電器機器をサポートすることによって、異なる使用者に色々なサービスを提供することができるが、本発明の実施例はこれを限定しない。
【００１１】
本実施例の感応ユニットの常用例は入口管理システムがある。該入口管理システムは信号認識ユニット又は出入管理カードを含み、該ユニット制御装置は信号受発信機に対応する。信号認識ユニット又は出入管理カードと信号受発信機との間の電磁誘導効果を形成することにより、信号の伝送操作及び確認操作を行うことができる。使用者が誘導ユニットをユニット制御装置に挿入するとき、この両者の間の検証操作が終わったことを説明するので、使用者が旅館又はホテルからサービス操作を受ける権限を貰うことができる。また、本発明の実施例に係るユニット制御装置Ｕ１は、シングルベッドにのみ対応するものではない。他の実施例において、使用者の人数又はルームのサイズ及び設計などにより、ユニット制御装置を二段ベッド又は他のベッドに対応させることができる。シングルベッド（又は二段ベッド）の実施形態及びこれが含む部品／モジュールも、図２に示されるユニット制御装置Ｕ１にのみ限定されるものではない。使用者が感応ユニットを挿入するか或いは取り出すことによってサービス起動スイッチをオンするか或いはオフし、かつ電磁誘導効果によってユニット制御装置に対応するサービス操作者をオンするか或いはオフすることなどはすべてが、本発明の範囲に含まれるものである。
【００１２】
上述した本実施例において、複数人の使用者が入っているルームを管理する方法を提供した。使用者がいずれか1つのユニット制御装置に対応する（すなわち、使用者が1つのシングルベッドを使用する）とき、使用者がホテル又は旅館から頂いた出入管理カードでユニット制御装置が提供するサービス操作を起動することにより、電気入力操作、インターネット接続操作又は呼び出し操作などに関する権限を貰うことができる。注意されたいことは、ホテル又は旅館が複数のルームを含む場合、本実施例のコンピュータシステム１２は複数のルームに対応する信号整合モジュールを含むことができる。本実施例のコンピュータシステム１２の中央処理装置１２０で各ルーム内の各ユニット制御装置の使用状況を把握し、各ルームのユニット制御装置Ｕ１〜ＵＮの数量は需要に応じて自由に加減することができる。本実施例のユニット制御装置ＵＸという装置は、使用者のベッドにのみ限定されるものではなく、ルーム内の常用電器機器又は器材に使用することもできる。例えば、公衆電話、冷蔵庫又は暖房冷房装置に使用することができる。また、出入管理カード及びユニット制御装置のサービス起動スイッチと同様であるか或いは類似しているもので下記の機能を実現することは、すなわち、使用者が出入管理カードを利用してルーム内に入るとき当該使用者は所定の電器機器又は器材に関する使用権限を貰うことができ、かつホテル又は旅館の管理者はこの電器機器又は器材の使用状況を把握することができることは、本発明の範囲に含まれるものである。
【００１３】
注意されたいことは、図３に示すとおり、本実施例のルーム１０とコンピュータシステム１２に適用するサービス管理方法をサービス管理プログラム３０に設定し、かつ該サービス管理プログラムをプログラムコードにすることにより、コンピュータシステム１２の記憶装置１２２に保存することができる。サービス管理プログラム３０は下記のようなステップを含む。
【００１４】
ステップ３００において、開始する。
【００１５】
ステップ３０２において、感応ユニットを複数個のユニット制御装置Ｕ１〜ＵＮのうちいずれか１つに挿入することにより、使用請求信号を生成するとともにこれを中央処理装置１２０に伝送する。
【００１６】
ステップ３０４において、中央処理装置１２０が使用請求信号によって生成した使用確認信号を複数個のユニット制御装置Ｕ１〜ＵＮのうちいずれか１つに伝送することにより、複数個のユニット制御装置Ｕ１〜ＵＮのうちいずれか１つに対応するサービス操作を起動する。
【００１７】
ステップ３０６において、終了する。
【００１８】
本発明の実施例において、サービス管理プログラム３０のステップ３０２〜３０６は、本発明の図１、図２及び所定の段落を参照することによって実現することができるので、ここでは再び説明しない。本実施例のサービス管理プログラム３０は、ルーム内の使用者が主動的に感応ユニットを挿入することにより、所定のユニット制御装置（例えば、シングルベッド）に対応するサービス操作を獲得することができる。また、本実施例のコンピュータシステム１２の中央処理装置１２０が判断プログラムを実行することと、コンピュータシステム１２の使用者インターフェイス（図示せず）を使用することとにより、使用請求信号を複数のルームのうちどのルームから受信したか、かつ該ルーム内の複数個のユニット制御装置Ｕ１〜ＵＮのうちどのユニット制御装置から受信したかを判断し、かつ対応する使用確認信号を所定のユニット制御装置に伝送することができるので、ホテル又は旅館の管理者が使用者の使用状況を容易に管理することができる。
【００１９】
本実施例のサービス管理プログラム３０がコンピュータシステム１２の中央処理装置１２０で他の制御プログラムを実行し、コンピュータシステム１２の使用者インターフェイスが管理者の操作によって制御信号を生成することにより、異なるルーム内の異なるユニット制御装置がサービス操作を提供すべきであるかどうかを主動的に制御することができる。すなわち、ホテル又は旅館の管理者がサービス起動スイッチからのサービス操作を主動的にオンするか或いはオフすることにより、異なるルーム又はベッドの電気入力サービス又はインターネット接続サービスを制御することができる。
【００２０】
本実施例のコンピュータシステム１２は、インターネットモジュール（図示せず）に接続されることができる。この場合、他の使用者はこのインターネットモジュールでコンピュータシステム１２のルーム注文操作を行うことができる。すなわち、ホテル又は旅館を利用しようとする使用者又はバックパッカーは、ホテル又は旅館のホームページを利用することにより、所定のルーム内の所定のベッドを注文するとともにホテル又は旅館が提供するサービス操作及びホテル又は旅館の現在の使用状況を把握することができる。また、使用者がルーム内のサービス使用登録表を利用することにより、使用しようとするサービス操作を選択することができるので、ホテル又は旅館のインターネット注文サービスの応用範囲を大幅に増加させることができる。
【００２１】
図４を参照されたい。図４は本発明の実施例に係るサービス管理方法における他のルーム４０を示す図である。図４に示されるとおり、図４のルーム４０と図１のルーム１０の設計又は配置方法が類似しているが、両者の間の主な相違点は、図４のルーム４０が状況検出モジュールＥ１〜Ｅ４を更に含み、危険状況の発生を検出するとき該状況検出モジュールＥ１〜Ｅ４が生成した警告信号をコンピュータシステム１２に伝送することにより、現在の状況をホテル又は旅館の管理者に告知することにある。本実施例に示される状況検出モジュールの数量又は設置位置は本発明の例示にしか過ぎないものであるため、ユニット制御装置の数量及び位置によって状況検出モジュールの数量又は設置位置を自由に調節することができる。本実施例の状況検出モジュールの常用例は、監視カメラモジュール又は煙火災検出モジュールである。ホテル又は旅館の管理者は、この状況検出モジュールによって異なるルームの所定のベッドの現在の状況を把握し、かつこのベッドに対応するサービス操作をオンするか或いはオフすることができる。また、所定のユニット制御装置に緊急状況用プッシュボタン（図示せず）を更に設けることができる。緊急状況が発生するとき、使用者が緊急状況用プッシュボタンを利用することにより、現在の状況をホテル又は旅館の管理者に告知することは、本発明の範囲に含まれるものである。
【００２２】
図５を参照されたい。図５は本発明の実施例に係るサービス管理方法における他のルーム５０を示す図である。図５に示されるとおり、図５のルーム５０と図１のルーム１０の設計又は配置方法が類似しているが、両者の間の主な相違点は、ルーム５０が出入管理カードモジュールＷ１〜Ｗ４を更に含み、かつコンピュータシステム１２の中央処理装置１２０が開閉信号を出入管理カードモジュールＷ１〜Ｗ４に伝送することにより出入管理カードモジュールＷ１〜Ｗ４の開閉を制御することにある。本実施例において、出入管理カードモジュールＷ１〜Ｗ３は景観観覧用窓口であり、出入管理カードモジュールＷ４は出入用大門であることができる。図４に示される出入管理カードモジュールの数量又は設置位置は本発明の例示にしか過ぎないものであるため、異なるホテル又は旅館の設計方法において、ホテル又は旅館の管理者が主動的に開閉信号を伝送することにより、出入管理カードモジュールＷ１〜Ｗ４の開閉を制御することもできる。すなわち、上述したことにより、各ルームの使用状況を把握するか或いは各ルームの安全状況を監視すること或いは各ルームの使用者が出入管理カードモジュールＷ１〜Ｗ４をオン／オフすることは、本発明の範囲に含まれるものである。
【００２３】
本技術分野の技術者が図１〜図５に示される前記複数の実施例を適当に整合して応用するとき、ホテル又は旅館の管理者は各ルームの使用状況を主動的に監視するか或いは管理することができる。また、サービス管理プログラム、判断プログラム又は制御プログラムを更に応用することにより、ルームの応用範囲を増加させることができる。また、ホテル又は旅館を利用しようとする使用者は、ホテル又は旅館の注文用操作を利用することにより適当なルームを注文することができ、かつサービス使用登録表を利用することにより使用しようとするサービス操作を選択することができる。本発明のサービス管理方法を、ルームの数量が異なりかつ異なる方式に設置されるルームに応用するか或いは異なるサービス操作を提供する複数個の電器機器に応用することができるが、本発明は上述した実施例に限定されるものではない。
【００２４】
上述したとおり、本発明の実施例におけるルームが複数個のユニット制御装置を含んでいるので、使用者が感応ユニットをユニット制御装置に挿入することにより、ホテル又は旅館からのサービス操作の権限を貰うことができる。また、ホテル又は旅館の管理者は、コンピュータシステムで各ルームの使用状況を制御・監視することにより、このルームにサービス操作を提供し続けるべきであるか或いはサービス操作を切断すべきであるかを判断することができる。これにより、各ルームのサービス管理効果を大幅に向上させることができ、かつルーム使用者が容易に利用することができる。
【００２５】
以上、本発明の実施例を図面により詳述してきたが、これらの実施例はこの発明の例示にしか過ぎないものであるため、本発明はこれらの実施例の構成にのみ限定されるものではなく、この発明の要旨を逸脱しない範囲の設計の変更等があっても当然本発明に含まれる。
【符号の説明】
【００２６】
１０、４０、５０  ルーム
１２  コンピュータシステム
１２０  中央処理装置
１２２  記憶装置
３０  サービス管理プログラム
Ｕ１〜ＵＮ  ユニット制御装置
ＳＷ１  サービス起動スイッチ
Ｈ１  支持棒
Ｌ１  照明モジュール
Ｅ１〜Ｅ４  状況検出モジュール
Ｗ１〜Ｗ４  出入管理カードモジュール
【図１】
2015133114.tif 000003
【図２】
2015133114.tif 000004
【図３】
2015133114.tif 000005
【図４】
2015133114.tif 000006
【図５】
2015133114.tif 000007